(57)【要約】【課題】より衛生的に水を供給することのできる電解水生成装置を得る。【解決手段】電解水生成装置１０は、原水を導入して浄水を生成する浄水部３３と、浄水部３３で生成された浄水を貯留する貯留部４０と、貯留部４０を通過した浄水を導入して電解処理することが可能な電解槽５２と、電解槽５２を通過した水を導入して紫外線を照射させる紫外線照射部５３と、を備えている。また、紫外線照射部５３は、紫外線を照射する紫外線光源５３ａを有している。そして、紫外線光源５３ａから照射される紫外線を貯留部４０内の浄水に照射できるようにした。【選択図】図７
2016215135.tif 000002
【特許請求の範囲】
【請求項１】
原水を導入して浄水を生成する浄水部と、
前記浄水部で生成された浄水を貯留する貯留部と、
前記貯留部を通過した浄水を導入して電解処理することが可能な電解槽と、
前記電解槽を通過した水を導入して紫外線を照射させる紫外線照射部と、
を備え、
前記紫外線照射部は、紫外線を照射する紫外線光源を有しており、
前記紫外線光源から照射される紫外線を前記貯留部内の浄水に照射できるようにしたことを特徴とする電解水生成装置。
【請求項２】
前記紫外線照射部内に導入された水が止水された場合にも、前記紫外線光源から照射される紫外線を前記貯留部内の浄水に照射できるようにしたことを特徴とする請求項１に記載の電解水生成装置。
【発明の詳細な説明】
【技術分野】
【０００１】
本発明は、電解水生成装置に関する。
【背景技術】
【０００２】
従来、電解水生成装置として、原水を導入して浄水を生成する浄水部と、浄水部を通過することで浄化した浄水を貯留する貯留タンクと、を備えるものが知られている（例えば、特許文献１参照）。
【０００３】
この特許文献１では、貯留タンクの内部に浄水部が組み込まれており、この浄水部を通過することで浄化した浄水が貯留タンクに貯水されるようになっている。このように、特許文献１では、手間のかかる水の浄化を貯留タンクに水を貯水する際に予め行い、貯留タンクに浄水を貯水させるようにすることで、十分な水量の浄水を供給できるようにしている。
【先行技術文献】
【特許文献】
【０００４】
【特許文献１】特開２００６−０３５１０８号公報
【発明の概要】
【発明が解決しようとする課題】
【０００５】
しかしながら、上記従来の技術では、浄水を貯留タンクに貯水しているため、貯留タンク内で雑菌が繁殖するおそれがある。
【０００６】
そこで、本発明は、より衛生的に水を供給することのできる電解水生成装置を得ることを目的とする。
【課題を解決するための手段】
【０００７】
本発明の電解水生成装置は、原水を導入して浄水を生成する浄水部と、前記浄水部で生成された浄水を貯留する貯留部と、前記貯留部を通過した浄水を導入して電解処理することが可能な電解槽と、前記電解槽を通過した水を導入して紫外線を照射させる紫外線照射部と、を備え、前記紫外線照射部は、紫外線を照射する紫外線光源を有しており、前記紫外線光源から照射される紫外線を前記貯留部内の浄水に照射できるようにしたことを特徴とする。
【発明の効果】
【０００８】
本発明によれば、より衛生的に水を供給することのできる電解水生成装置を得ることができる。
【図面の簡単な説明】
【０００９】
【図１】本発明の一実施形態にかかる電解水生成装置を模式的に示す図である。
【図２】本発明の一実施形態にかかる電解水生成装置を模式的に示す斜視図である。
【図３】本発明の一実施形態にかかる電解水生成装置を模式的に示す図であって、（ａ）は正面図、（ｂ）は側面図、（ｃ）は平面図である。
【図４】本発明の一実施形態にかかる電解水生成装置のハウジングを模式的に示す斜視図である。
【図５】本発明の一実施形態にかかる電解水生成装置の貯留タンクを模式的に示す斜視図である。
【図６】本発明の一実施形態にかかる電解水生成装置の貯留タンクに形成された窓部およびハウジングに形成された窓部を模式的に示す断面図である。
【図７】本発明の一実施形態にかかる電解水生成装置のＵＶ照射槽から貯留タンクに紫外線が照射される状態を模式的に示す断面図である。
【図８】本発明の一実施形態にかかる電解水生成装置における貯留タンクへの流入口および流出口を模式的に示す拡大正面図である。
【発明を実施するための形態】
【００１０】
以下、本発明の実施形態について図面を参照しつつ詳細に説明する。なお、以下では、ハウジングの操作部が形成されている側を前後方向前方として説明する。
【００１１】
本実施形態にかかる電解水生成装置１０は、図１に示すように、給水装置３０と、吐水装置５０と、給水装置３０と吐水装置５０とを連結する貯留タンク（貯留部）４０とを有している。本実施形態では、電解水生成装置１０に水路６０が形成されており、この水路６０によって給水装置３０および吐水装置５０が貯留タンク（貯留部）４０に連結されている。具体的には、図１に示すように、給水装置３０には給水路６１が形成され、吐水装置５０には吐水路６２が形成されており、給水路６１および吐水路６２を貯留タンク（貯留部）４０に連結することで給水装置３０および吐水装置５０が貯留タンク（貯留部）４０に連結されている。
【００１２】
さらに、電解水生成装置１０は、給水装置３０の動作や吐水装置５０の動作を制御する制御装置７０を有している。
【００１３】
給水装置３０は、第１の弁３１と、第１のポンプ３２と、浄水部３３とを備えている。この給水装置３０は、貯留タンク４０に浄水を供給する装置である。すなわち、給水装置３０に設けた浄水部３３に水道水などの原水を導入して浄化することで浄水を生成し、浄水部３３にて浄化された浄水を貯留タンク（貯留部）４０に導入して貯留させるようになっている。
【００１４】
第１の弁３１、第１のポンプ３２および浄水部３３は、給水装置３０に形成された給水路６１に設置されている。本実施形態では、給水路６１の上流側から順に第１の弁３１、第１のポンプ３２、浄水部３３が設置されている。また、給水路６１の上流側には、水道管などの原水配水管から水道水などの原水が導入される原水導入口６１ａが形成されており、給水路６１の下流側には、給水装置３０を通過した浄水を貯留タンク（貯留部）４０に導入する流入口６１ｂが形成されている。なお、原水は水道水に限られるものではなく、井戸水や溜め水等であってもよい。
【００１５】
原水導入口６１ａは上水道等の水源からの水を導入する入り口であり、給水装置３０が収容されるハウジング（本体）２０の側部に設けられている。通常は、上水道の蛇口から延びるホースを給水路６１の原水導入口６１ａ側に挿入してバンド固定することで、水源からの水を給水路６１に導入するようにしている。
【００１６】
なお、本実施形態では、水源からの水を直接給水路６１に導入するのではなく、濾過部（粗濾過部）８０にて予め濾過された水を原水として原水導入口６１ａから導入するようにしている。すなわち、濾過部（粗濾過部）８０に形成された水路８１の上流側を上水道等に連結し、下流側を原水導入口６１ａに連結することで、水源からの水が濾過部（粗濾過部）８０を通過して濾過された状態で給水路６１に導入されるようにしている。
【００１７】
濾過部（粗濾過部）８０としては、例えば、カーボンブロックと不織布フィルターとで構成された交換可能なろ材を上蓋部と有底円筒からなるハウジングに収容したものを用いることができる。このとき、上蓋部に通水用の流入口の開口と流出口の開口を設け、上蓋部の流入口を上水道等に連結し、上蓋部の流出口を原水導入口６１ａに連結するようにするのが好ましい。このように、電解水生成装置１０外で粗濾過を行うようにすることで、電解水生成装置１０の小型化を図ることができる。なお、濾過部（粗濾過部）８０を用いずに水源からの水を直接給水路６１に導入することも可能である。また、濾過部（粗濾過部）８０を電解水生成装置１０に組み込む（給水装置３０の構成要素とする）ことも可能である。
【００１８】
第１の弁３１は、電磁弁であり、原水の電解水生成装置１０内への導入の開始および停止を制御するものである。具体的には、第１の弁３１は、第１のポンプ３２の動作中には開栓され、停止又は待機中には閉栓される。
【００１９】
第１のポンプ３２は、ダイヤフラムポンプであり、第１の弁３１からの水を受けて浄水部３３に必要な水圧をかけ圧送するものである。この第１のポンプ３２を用いることで、実用上十分な水量（例えば２００ｍｌ／分）を確保することができるようになる。
【００２０】
浄水部３３は、前段（給水路６１の上流側）に配置された逆浸透膜モジュール３３ａと後段（給水路６１の下流側）に配置されたポストカーボンフィルター３３ｂとで構成されている。
【００２１】
逆浸透膜モジュール３３ａは酢酸セルロースや芳香族ポリアミドなどを原料とする多孔質の樹脂でできたフィルター３３ｃを有しており、フィルター３３ｃを透過する透過水と濃縮水とに分離するものである。すなわち、逆浸透膜モジュール３３ａは分画フィルターとしての機能を有している。逆浸透膜モジュール３３ａのフィルター３３ｃの細孔の大きさは概ね２ナノメートル以下であり、これによって原水に含まれるイオンや塩類などの不純物が除去される。そして、イオンや塩類などの不純物が除去された浄水は、ポストカーボンフィルター３３ｂに通水され、不純物を含んだ水（濃縮水）は排水路６４としての濃縮水排水路６４ａより排水される。
【００２２】
ところで、逆浸透膜モジュール３３ａを通過した際に樹脂材料由来の成分（異臭味成分）が極めて微量ではあるが浄水に浸出する場合がある。そして、樹脂材料由来の成分（異臭味成分）が浄水に浸出すると浄水の味や臭いを損なうおそれがある。そこで、本実施形態では、逆浸透膜モジュール３３ａの下流側にポストカーボンフィルター３３ｂを配置し、かかる事態が生じたとしても（浄水の味や臭いが損なわれたとしても）浄水を改質することができるようにしている。
【００２３】
このポストカーボンフィルター３３ｂには粒径が数十〜数百マイクロメートルの粒状活性炭が充填されており、この粒状活性炭を通過することで、逆浸透膜モジュール３３ａを通過した際に生じた浄水の味の劣化が改善される。
【００２４】
そして、浄水部３３を通過した浄水は流入口６１ｂから貯留タンク（貯留部）４０へと導入されて貯留タンク（貯留部）４０内に貯留される。このとき、第１のポンプ（ダイヤフラムポンプ）３２によって浄水処理が迅速に行われるため、貯留タンク（貯留部）４０への貯水、また後述の吐水装置５０への供給、ひいては電解水生成が迅速に行われることとなる。
【００２５】
本実施形態では、貯留タンク（貯留部）４０は、後述するように、電解水生成装置１０のハウジング２０に着脱可能に取り付けられる樹脂製の中空箱型のケーシングである。この貯留タンク（貯留部）４０には、吐水装置５０に形成された吐水路６２の流出口６２ｂが連結されており、貯留タンク（貯留部）４０に貯留された浄水は流出口６２ｂから吐水路６２に導入されて吐水路６２の下流側に形成された吐水口６２ａから外部に吐水されるようになっている。
【００２６】
吐水装置５０は、第２のポンプ５１と、電解槽５２と、殺菌槽（ＵＶ照射槽：紫外線照射部）５３と、流出弁５４と、を備えており、貯留タンク（貯留部）４０に貯留された浄水を電解してアルカリイオン水を生成して吐水する機能を有している。なお、貯留タンク（貯留部）４０に貯留された浄水を電解せずに吐水させることも可能である。このように、電解槽５２は、貯留タンク（貯留部）４０を通過した浄水を導入して電解処理できるように構成されている。
【００２７】
第２のポンプ５１、電解槽５２、殺菌槽（ＵＶ照射槽：紫外線照射部）５３および流出弁５４は、吐水装置５０に形成された吐水路６２に設置されている。本実施形態では、吐水路６２の上流側から順に第２のポンプ５１、電解槽５２、殺菌槽（ＵＶ照射槽：紫外線照射部）５３、流出弁５４が設置されている。また、吐水路６２の下流側には、装置内の水を外部に吐水する吐水口６２ａが形成されており、吐水路６２の上流側には、貯留タンク（貯留部）４０内の浄水を導入する流出口６２ｂが形成されている。
【００２８】
第２のポンプ５１は、羽根車ポンプであり、１００ｋＰａ未満の低圧力の圧送ポンプである。そして、貯留タンク（貯留部）４０からの水を受けて後述の電解槽５２に向けて必要な水圧をかけ圧送するものである。この第２のポンプ５１を用いることで、実用上十分な水量（例えば１０００ｍｌ／分）を確保することができるようになる。
【００２９】
電解槽５２としては従来公知のものを用いることができる。例えば、内部が隔膜によって仕切られており、一方が陰極を有する陰極室となっており、他方が陽極を有する陽極室となっているものを用いることができる。そして、この電解槽５２の陰極室および陽極室にそれぞれ導入された浄水は、陰極と陽極との間に電圧を印加することで電気分解され、陰極室ではアルカリイオン水が生成されるとともに、陽極室では酸性水が生成される。
【００３０】
また、陰極室の出口には吐水路６２が連通されており、陽極室の出口には排水路６４としての酸性水排水路６４ｂが連通されている。そして、陰極室で生成されたアルカリイオン水は、吐水路６２を通り、殺菌槽５３を通過して吐水口６２ａから外部に吐出されるようになっている。一方、陽極室で生成された酸性水は、酸性水排水路６４ｂを通り排水されるようになっている。なお、酸性水排水路６４ｂには電磁弁９２が設けられており、電解槽５２を駆動して生成された酸性水を排水する際に開栓されるようになっている。
【００３１】
殺菌槽（ＵＶ照射槽：紫外線照射部）５３は、電解槽５２で生成されたアルカリイオン水や電解処理を行わずに電解槽５２を通過した浄水等を通す中空筒状の管であり、ＵＶランプ（紫外線光源）５３ａを備えている。そして、アルカリイオン水や浄水等が中空筒状の管を通過する段階でＵＶランプ（紫外線光源）５３ａから照射される紫外線を受けることでアルカリイオン水や浄水等の殺菌処理が施されるようになっている。本実施形態では、ＵＶランプ（紫外線光源）５３ａから照射される紫外線を殺菌槽５３内の水（浄水やアルカリイオン水等）に所定の時間（例えば、５秒）照射させることで、殺菌処理が施されるようにしている。
【００３２】
流出弁５４は、電磁弁であり、アルカリイオン水や浄水等の吐水の開始および停止を制御するものである。具体的には、流出弁５４は、第２のポンプ５１の動作中には開栓され、停止又は待機中には閉栓される。
【００３３】
また、本実施形態では、電解水生成装置１０は、給水装置３０の動作や吐水装置５０の動作を制御する制御装置７０を有している。
【００３４】
制御装置７０は、マイコン７１、操作部７２、タンク満水検知部７３、タンク有無検出部７４を備えている。マイコン７１は、操作部７２、タンク満水検知部７３、タンク有無検出部７４による信号を検出しつつ、第１の弁３１、第１のポンプ３２、第２のポンプ５１、電解槽５２、殺菌槽（ＵＶ照射槽：紫外線照射部）５３、流出弁５４、電磁弁９２などの動作制御を行うものである。上述した操作部７２等は配線Ｈを介してマイコン７１に電気的に接続されている。
【００３５】
なお、本実施形態では、マイコン７１への電源の供給は、図示せぬ外部電源に接続される電源プラグ９１から供給される商用交流電圧をトランス９０にて直流電圧に変換した状態で行われる。
【００３６】
次に、上述した給水装置３０、吐水装置５０、貯留タンク（貯留部）４０および制御装置７０を組み込んだ電解水生成装置１０の具体的な構成（一例）を図２〜８に基づき説明する。
【００３７】
電解水生成装置１０は、図２に示すように、ハウジング（本体）２０を備えており、このハウジング（本体）２０内に、給水装置３０、吐水装置５０および制御装置７０が組み込まれている。
【００３８】
具体的には、ハウジング（本体）２０は、天壁２１と底壁２２と側壁２３と前壁２４と後壁２５とで中空箱状に形成されており、ハウジング（本体）２０の中空部内に、給水装置３０、吐水装置５０および制御装置７０が組み込まれている。
【００３９】
一方、貯留タンク（貯留部）４０は、底壁４２と側壁４３と前壁４４と後壁４５とで上方に開口４１が形成された有底筒状に形成されており、ハウジング（本体）２０の前部に着脱可能に取り付けられている。
【００４０】
具体的には、ハウジング（本体）２０の前部には、貯留タンク（貯留部）４０を収納する収納凹部２６が形成されており、この収納凹部２６に貯留タンク（貯留部）４０を収納することで、貯留タンク（貯留部）４０がハウジング（本体）２０に装着される。本実施形態では、ハウジング（本体）２０の前部中央を後方に凹んだ形状とすることで収納凹部２６を形成している。すなわち、図４に示すように、収納凹部２６は、上面２７、下面２８、奥面２９とで画成され、前方および側方両端が開放された形状をしている。
【００４１】
また、ハウジング（本体）２０の両側壁２３，２３には、それぞれ上下にスライド可能な係止部２３ａ，２３ａが形成されており、貯留タンク（貯留部）４０の両側壁４３，４３には、係止部２３ａ，２３ａがそれぞれ係止される係止部４３ａ，４３ａが形成されている。そして、収納凹部２６に貯留タンク（貯留部）４０を収納した状態で係止部２３ａ，２３ａを下方にスライドさせて係止部４３ａ，４３ａに係止することで、貯留タンク（貯留部）４０のハウジング（本体）２０からの抜け止めがなされるようにしている。
【００４２】
また、本実施形態では、殺菌槽（ＵＶ照射槽：紫外線照射部）５３は、棒状をした直管型のＵＶランプ（紫外線光源）５３ａと、当該ＵＶランプ（紫外線光源）５３ａを覆う半円筒状をしたステンレス製直管５３ｂと、を備えている。
【００４３】
そして、直管型のＵＶランプ（紫外線光源）５３ａおよびステンレス製直管５３ｂは、上下方向に延在するようにハウジング（本体）２０内に配置されている。このとき、直管型のＵＶランプ（紫外線光源）５３ａは、ハウジング（本体）２０内の前側（奥面２９側）に配置されており、半円筒状のステンレス製直管５３ｂは、直管型のＵＶランプ（紫外線光源）５３ａを後側から覆うように配置されている。
【００４４】
このように、本実施形態では、ステンレス製直管５３ｂと奥面２９が形成される壁部（前壁２４の一部）とで殺菌槽（ＵＶ照射槽：紫外線照射部）５３内の通水路５３ｃが形成されている。
【００４５】
なお、ステンレス製直管５３ｂの上下両端は図示せぬ蓋で覆われており、下側の蓋には、通水路５３ｃ内に水を導入する導入路が形成されている。一方、上側の蓋には、通水路５３ｃ内の水を殺菌槽（ＵＶ照射槽：紫外線照射部）５３外に流出させる流出路が形成されている。
【００４６】
かかる構成とすることで、電解槽５２を通過した水は、下側から殺菌槽（ＵＶ照射槽：紫外線照射部）５３内に流入して上側から流出することとなる。
【００４７】
さらに、上下の各蓋には、ＵＶランプ（紫外線光源）５３ａに電力を供給するための配線を挿通させる配線穴が形成されている。また、ステンレス製直管５３ｂには開口５３ｄが形成されており、この開口５３ｄに設けられたフォトカプラ５３ｅによってＵＶランプ（紫外線光源）５３ａの発光量を測定している。
【００４８】
ここで、本実施形態では、ＵＶランプ（紫外線光源）５３ａから照射される紫外線を貯留タンク（貯留部）４０内の浄水にも照射できるようにした。
【００４９】
具体的には、図４〜７に示すように、貯留タンク（貯留部）４０をハウジング（本体）２０に装着させた際に互いに接触する部位に窓部（紫外線透過部）２９ａおよび窓部（紫外線透過部）４５ｃをそれぞれ形成し、ハウジング（本体）２０の内部から貯留タンク（貯留部）４０の内部に紫外線を透過させることができるようにした。
【００５０】
本実施形態では、ハウジング（本体）２０の前壁２４における奥面２９に対応する部位に、ＵＶランプ（紫外線光源）５３ａから照射される紫外線をハウジング（本体）２０の外部に透過させることが可能な窓部（紫外線透過部）２９ａを形成している。具体的には、前壁２４の奥面２９に対応する部位における殺菌槽（ＵＶ照射槽：紫外線照射部）５３が配置される部位に窓部（紫外線透過部）２９ａを形成している。
【００５１】
一方、貯留タンク（貯留部）４０の後壁４５に、ＵＶランプ（紫外線光源）５３ａから照射される紫外線を貯留タンク（貯留部）４０の内部に透過させることが可能な窓部（紫外線透過部）４５ｃを形成している。
【００５２】
そして、貯留タンク（貯留部）４０をハウジング（本体）２０に装着させた際には、窓部（紫外線透過部）２９ａと窓部（紫外線透過部）４５ｃとが互いに重なり合った状態で接触するようにしている。すなわち、貯留タンク（貯留部）４０をハウジング（本体）２０に装着させた状態の電解水生成装置１０を正面から視た際に、窓部（紫外線透過部）２９ａおよび窓部（紫外線透過部）４５ｃの少なくとも一部が重なり合うようにしている。
【００５３】
こうすることで、殺菌槽（ＵＶ照射槽：紫外線照射部）５３内の通水路５３ｃ内で照射された紫外線は、窓部（紫外線透過部）２９ａおよび窓部（紫外線透過部）４５ｃを透過して貯留タンク（貯留部）４０にも照射されることとなる。
【００５４】
この窓部（紫外線透過部）２９ａおよび窓部（紫外線透過部）４５ｃは、上下に細長い長方形状をしており、例えば、石英ガラスを用いて形成することができる。なお、貯留タンク（貯留部）４０の窓部４５ｃが形成されていない部位およびハウジング（本体）２０の窓部２９ａが形成されていない部位は、ＵＶ耐光性を有する樹脂で形成されており、貯留タンク（貯留部）４０をハウジング（本体）２０に装着させた状態で紫外線を照射した際に、紫外線が外部に漏れてしまうのを抑制できる構成となっている。
【００５５】
また、ハウジング（本体）２０の前壁２４には、操作部７２が形成されている。この操作部７２には複数の操作ボタンが設けられている。本実施形態では、操作ボタンとして、装置の電源のオン・オフを操作する主電源ボタン、貯留タンク（貯留部）４０内の浄水を排水するドレインボタン、貯留タンク（貯留部）４０内の浄水を電解せずに吐水する浄水モードボタン、貯留タンク（貯留部）４０内の浄水を電解してアルカリイオン水を吐水するアルカリモードボタンが設けられている。なお、アルカリモードボタンは２つ（複数）設けられており、ｐＨ値が異なるアルカリイオン水を吐出できるようになっている。
【００５６】
さらに、ハウジング（本体）２０の前壁２４の下部には、前方に膨出した膨出部２４ａが形成されており、この膨出部２４ａには、吐水路６２の下流側が配置されている。このとき、吐水路６２の下流側は吐水口６２ａが下方を向くように膨出部２４ａに配置される。
【００５７】
また、奥面２９の下部にはノズル６３が形成されており、このノズル６３には、図８に示すように、給水路６１の流入口６１ｂおよび吐水路６２の流出口６２ｂが形成されている。すなわち、本実施形態では、流入口６１ｂおよび流出口６２ｂを１つのノズル６３にまとめている。このとき、吐水路６２の流出口６２ｂが給水路６１の流入口６１ｂの下部に配置されるようにしている。
【００５８】
そして、貯留タンク（貯留部）４０のハウジング（本体）２０への装着時には、このノズル６３を貯留タンク（貯留部）４０の後壁４５の下部に形成された挿通孔４５ａに挿通するようにしている。このノズル６３を貯留タンク（貯留部）４０の後壁４５の下部に形成された挿通孔４５ａに挿通することで、給水路６１および吐水路６２が貯留タンク（貯留部）４０に連通されることとなる。なお、ノズル６３の周囲にＯリング等を設けることで、貯留タンク（貯留部）４０のハウジング（本体）２０への装着時に貯留タンク（貯留部）４０内の浄水が挿通孔４５ａから漏出しないようにしている。
【００５９】
このように、本実施形態では、流入口６１ｂおよび流出口６２ｂを１つのノズル６３にまとめることで、貯留タンク（貯留部）４０のハウジング（本体）２０への装着および離脱を行い易くしている。また、ノズル６３、すなわち流入口６１ｂおよび流出口６２ｂを貯留タンク（貯留部）４０の下部に連結することで、流入口６１ｂおよび流出口６２ｂをより確実に水没させることができるようにしている。このように、流入口６１ｂおよび流出口６２ｂをより確実に水没させることで、流入口６１ｂおよび流出口６２ｂが空気に触れてしまうのを抑制することができ、より衛生的な装置とすることができる。さらに、吐水路６２の流出口６２ｂが給水路６１の流入口６１ｂの下部に配置されるようにすることで、貯留タンク（貯留部）４０内の浄水をより確実かつ迅速に吐水させることができるようにしている。
【００６０】
また、奥面２９の上部にはタンク満水検知部７３のノズル７３ａが形成されており、貯留タンク（貯留部）４０のハウジング（本体）２０への装着時には、このノズル７３ａを貯留タンク（貯留部）４０の後壁４５の上部に形成された挿通孔４５ｂに挿通するようにしている。なお、ノズル７３ａの周囲にもＯリング等が設けられており、貯留タンク（貯留部）４０のハウジング（本体）２０への装着時に貯留タンク（貯留部）４０内の浄水が挿通孔４５ｂから漏出しないようになっている。
【００６１】
そして、このノズル７３ａを貯留タンク（貯留部）４０の後壁４５の上部に形成された挿通孔４５ｂに挿通することで、貯留タンク（貯留部）４０が満水となったか否かを検知することができるようにしている。具体的には、タンク満水検知部７３に、通常時には空気を介して電気的に絶縁されており、ノズル７３ａから浄水が導入された際に浄水を介して電気的に接続される電極を設けている。したがって、貯留タンク（貯留部）４０に浄水を貯留すると水位が上昇するが、ノズル７３ａに到達するまでは、タンク満水検知部７３の電極は電気的に絶縁された状態のままである。一方、貯留タンク（貯留部）４０内の水位が上昇してノズル７３ａに到達すると、ノズル７３ａから浄水が導入されて電極が浄水を介して電気的に接続される。このように、貯留タンク（貯留部）４０内の水位が上昇してノズル７３ａに到達し、タンク満水検知部７３に設けた電極が通電されることで、信号がマイコン７１に出力されて、貯留タンク（貯留部）４０が満水となったことを検知し、浄水の貯留を停止するようにしている。
【００６２】
また、奥面２９の中央部には、タンク有無検出部７４の突起部７４ａが突没可能に設けられており、貯留タンク（貯留部）４０のハウジング（本体）２０への装着時には、突起部７４ａが貯留タンク（貯留部）４０の後壁４５によって後ろ側に押されて没するようになっている。そして、突起部７４ａが後ろ側に押されるとタンク有無検出部７４からの信号がマイコン７１に出力されて、貯留タンク（貯留部）４０がハウジング（本体）２０に装着されたことが検知されるようになっている。
【００６３】
さらに、本実施形態では、下面２８に前後方向に延在する突条２８ａが形成されており、貯留タンク（貯留部）４０の底壁４２には、突条２８ａに係合する凹部４２ａが形成されている。そして、貯留タンク（貯留部）４０のハウジング（本体）２０への装着時には、凹部４２ａを突条２８ａに係合させながら貯留タンク（貯留部）４０を後方にスライドさせることで、貯留タンク（貯留部）４０をより容易にハウジング（本体）２０に装着できるようにしている。なお、突条２８ａおよび凹部４２ａは、貯留タンク（貯留部）４０のハウジング（本体）２０への誤装着を防止する機能も有している。
【００６４】
次に、電解水生成装置１０の動作について図１等を参照しつつ説明する。
【００６５】
まず、操作部７２の主電源ボタンを操作して電源をオンにする。すると、マイコン７１は、この信号を受けて初期状況の確認を行う。例えば、初期状況確認としては以下のものがある。タンク有無検出部７４により貯留タンク（貯留部）４０が電解水生成装置１０のハウジング（本体）２０の所定の位置に取り付けられているか否かを確認する。このとき、貯留タンク（貯留部）４０が電解水生成装置１０のハウジング（本体）２０の所定の位置に取り付けられていない場合は給水装置を動作しない。また、タンク満水検知部７３により貯留タンク（貯留部）４０が満水か否かを確認する。このとき、貯留タンク（貯留部）４０が満水の場合は給水装置３０を動作しない。そして、その他の場合には、給水装置３０を動作（第１の弁３１を開栓して第１のポンプ３２を駆動）させて浄水を生成し、生成された浄水が貯留タンク（貯留部）４０内に貯留される。なお、貯留タンク（貯留部）４０内に浄水が貯留されていれば、満水でなくても、貯留タンク（貯留部）４０内の浄水を吐出させることは可能である。したがって、操作部に主電源とは別に給水モードボタンを設け、給水モードボタンを操作した際に、貯留タンク（貯留部）４０への給水が行われるようにするのが好適である。
【００６６】
一方、貯留タンク（貯留部）４０内の浄水を吐出させる際には、操作部７２の浄水モードボタンやアルカリモードボタンを操作する。
【００６７】
例えば、浄水モードボタンを操作した場合、マイコン７１によって第２のポンプ５１、殺菌槽（ＵＶ照射槽：紫外線照射部）５３が動作し、流出弁５４が開栓される。このとき、電解槽５２は駆動されない。また、電磁弁９２は閉栓されており、電解槽５２を通過した浄水が酸性水排水路６４ｂから排水されないようになっている。こうして、第２のポンプ５１によって貯留タンク（貯留部）４０から吐水路６２内に導入された浄水は、電解されることなく電解槽５２を通過し、殺菌槽（ＵＶ照射槽：紫外線照射部）５３のＵＶランプ（紫外線光源）５３ａによる殺菌処理が施された状態で吐水口６２ａから吐水される。
【００６８】
また、アルカリモードボタン（所望のｐＨ値のアルカリイオン水が得られるボタン）を操作した場合、マイコン７１によって第２のポンプ５１、電解槽５２、殺菌槽（ＵＶ照射槽：紫外線照射部）５３が動作し、流出弁５４が開栓される。また、電磁弁９２も開栓される。こうして、第２のポンプ５１によって貯留タンク（貯留部）４０から吐水路６２内に導入された浄水は、電解槽５２にて電気分解されて所望のｐＨ値のアルカリイオン水が生成され、このアルカリイオン水が殺菌槽（ＵＶ照射槽：紫外線照射部）５３のＵＶランプ（紫外線光源）５３ａによる殺菌処理が施された状態で吐水口６２ａから吐水される。一方、電解槽５２にて電気分解されて生成された酸性水は酸性水排水路６４ｂから排水される。なお、生成されるアルカリイオン水のｐＨ値は、電解槽５２に印加する電圧の相違によって調整される。
【００６９】
また、ドレインボタンを操作した場合、マイコン７１によって第２のポンプ５１が動作し、流出弁５４が開栓される。このとき、電解槽５２および殺菌槽（ＵＶ照射槽：紫外線照射部）５３は駆動されない。また、電磁弁９２は閉栓されており、電解槽５２を通過した浄水が酸性水排水路６４ｂから排水されないようになっている。こうして、第２のポンプ５１によって貯留タンク（貯留部）４０から吐水路６２内に導入された浄水は、電解されることなく電解槽５２を通過し、殺菌槽（ＵＶ照射槽：紫外線照射部）５３のＵＶランプ（紫外線光源）５３ａによる殺菌処理が施されることなく吐水口６２ａから吐水（排水）される。なお、ドレイン時にも殺菌槽（ＵＶ照射槽：紫外線照射部）５３を駆動させて殺菌処理を施した浄水を吐水口６２ａから排水するようにしてもよい。
【００７０】
ところで、給水装置３０に第１のポンプ３２を設け、吐水装置５０に第２のポンプ５１を設けることで、給水量や吐水量を十分に確保できるようにすると、給水装置３０と吐水装置５０の双方に電力を供給して給水装置３０および吐水装置５０を同時に駆動させた際に消費する電力量が大きくなってしまう。したがって、安定的に電気を供給することが難しい地域（電力事情の悪い地域）においてこのような電解水生成装置を用いると、給水装置３０と吐水装置５０の双方に供給するための電力が得られず、電解水生成装置の動作が不安定になってしまうおそれがある。
【００７１】
そこで、本実施形態では、制御装置７０が、給水装置３０および吐水装置５０のうち少なくとも一方の装置が動作中に、他方の装置の構成要素のうち少なくとも１つ以上の構成要素が非動作となるように他方の装置を制御するようにした。
【００７２】
具体的には、吐水装置（一方の装置）５０が動作している際（例えば吐水装置５０の第２のポンプ５１や電解槽５２が動作中である場合）は、給水装置（他方の装置）３０の各構成要素（第１の弁３１、第１のポンプ３２）のうち少なくとも１つ以上の要素（例えば、第１のポンプ３２）を停止又は待機状態とした。
【００７３】
一方、給水装置（一方の装置）３０が動作している際（例えば給水装置３０の第１のポンプ３２が動作中である場合）は、吐水装置（他方の装置）５０の各構成要素（第２のポンプ５１、電解槽５２、殺菌槽（ＵＶ照射槽：紫外線照射部）５３、流出弁５４）のうち少なくとも１つ以上の要素（例えば、第２のポンプ５１）を停止又は待機状態とした。
【００７４】
このとき、非動作とする少なくとも１つの構成要素を第１のポンプ３２もしくは第２のポンプ５１とするのが好適である。すなわち、第１のポンプ３２および第２のポンプ５１がともに駆動することがないようにするのが好適である。第１のポンプ３２や第２のポンプ５１は駆動時に消費する電力量が大きいからである。
【００７５】
このように、第１のポンプ３２および第２のポンプ５１のうちいずれか一方のポンプのみ駆動させるようにすれば、装置使用時の消費電力量が大きくなってしまうのをより確実に抑制することができるようになる。すなわち、電解水生成装置１０の動作時に必要な電力量をあまり大きくすることなく、電解水生成装置１０を動作させることができるようになる。したがって、水量を十分に確保できるようにした電解水生成装置１０を電力事情の悪い地域で用いたとしても、電解水生成装置１０の動作をより安定させることができるようになる。
【００７６】
また、給水装置（一方の装置）３０が動作している際に、第２のポンプ５１を停止又は待機状態とした場合には、電解槽５２も非動作となるようにするのが好ましい。
【００７７】
このとき、殺菌槽（ＵＶ照射槽：紫外線照射部）５３も非動作となる（ＵＶランプ５３ａを消灯させる）ようにすることも可能であるが、給水装置（一方の装置）３０が動作している際にも殺菌槽（ＵＶ照射槽：紫外線照射部）５３を動作させる（ＵＶランプ５３ａを点灯させる）ことが可能となるようにするのが好ましい。吐水装置５０が停止された場合には、流出弁５４が閉止されることで殺菌槽（ＵＶ照射槽：紫外線照射部）５３を構成する中空の筒内にも水が滞留するため、殺菌槽（ＵＶ照射槽：紫外線照射部）５３を動作させないと滞留した水に雑菌が繁殖してしまうおそれがあるためである。
【００７８】
そこで、本実施形態では、吐水装置５０が動作を停止してから所定時間（例えば１０分）経過後に当該吐水装置５０が再動作する場合に、第２のポンプ５１の動作に先駆けて殺菌槽（ＵＶ照射槽：紫外線照射部）５３が所定時間（例えば１５秒）動作するようにした。
【００７９】
具体的には、制御部７０が、吐水装置５０が停止されてから所定時間（例えば１０分）経過後に再動作の指示があった場合に、第２のポンプ５１の動作に先駆けて殺菌槽（ＵＶ照射槽：紫外線照射部）５３のＵＶランプ（紫外線光源）５３ａを点灯させ、点灯後所定の時間（例えば、１５秒）を経過した後に、第２のポンプ５１が動作するように、吐水装置５０の制御を行うようにしている。なお、点灯後に滞留する水に照射させる時間（１５秒）が上述した通常の照射時間（５秒）よりも長いのは、ＵＶランプ（紫外線光源）５３ａの点灯初期には、紫外線の出力量が定常状態よりも小さいため、通常と同様の時間の照射では十分に殺菌されないおそれがあるからである。
【００８０】
このように、第２のポンプ５１の動作に先駆けて殺菌槽（ＵＶ照射槽：紫外線照射部）５３のＵＶランプ（紫外線光源）５３ａを点灯させることで、中空の筒内（殺菌槽５３の内部）に滞留している水に対する殺菌処理を実施した後に吐水を行うことができるようになる。その結果、より衛生的に水を吐水（供給）することができる。
【００８１】
ただし、吐水装置５０が動作を停止してから所定時間（例えば１０分）以内に当該吐水装置５０が再動作する場合には、第２のポンプ５１の動作に先駆けることなく殺菌槽（ＵＶ照射槽：紫外線照射部）５３が動作するようにしている。すなわち、吐水装置５０の停止後の再動作が所定の時間以内（例えば１０分）であれば、第２のポンプ５１の動作を再動作指示と同時に実施されるようにしている。このように短時間の停止であれば、滞留する水の殺菌は不要であるため、すぐに吐水を開始できるようにしている。こうすれば、使用者の利便性を向上させることができる。このとき、吐水が停止された際（第２のポンプ５１および電解槽５２の動作が停止し、流出弁５４が閉栓された際）であっても、所定の時間（例えば１０分）が経過するまでは、殺菌槽（ＵＶ照射槽：紫外線照射部）５３のＵＶランプ（紫外線光源）５３ａを点灯したままにしておくのが好ましい。こうすれば、吐水が停止されたとしても、所定時間（例えば１０分）は滞留する水の殺菌処理が行われるため、所定の時間以内（例えば１０分）に第２のポンプ５１を再動作させた際に、殺菌処理が施された水を吐水することができるようになる。なお、吐水が停止された際に殺菌槽（ＵＶ照射槽：紫外線照射部）５３のＵＶランプ（紫外線光源）５３ａを消灯させる構成とした場合には、停止後、所定の時間以内（１０分）に再動作させた際に、ＵＶランプ（紫外線光源）５３ａの点灯と第２のポンプ５１の動作が再動作指示と同時に実施されることとなる。
【００８２】
そして、電解水生成装置１０を上述のように動作させた際に、ＵＶランプ（紫外線光源）５３ａが点灯している状態では、殺菌槽（ＵＶ照射槽：紫外線照射部）５３内の水だけでなく、貯留タンク（貯留部）４０内の浄水も、紫外線によって殺菌処理が施されることとなる（図７参照）。
【００８３】
以上説明したように、本実施形態では、電解水生成装置１０は、原水を導入して浄水を生成する浄水部３３と、浄水部３３で生成された浄水を貯留する貯留タンク（貯留部）４０と、を備えている。また、電解水生成装置１０は、貯留タンク（貯留部）４０を通過した浄水を導入して電解処理することが可能な電解槽５２と、電解槽５２を通過した水を導入して紫外線を照射させる殺菌槽（紫外線照射部）５３と、を備えている。
【００８４】
そして、殺菌槽（紫外線照射部）５３は、紫外線を照射するＵＶランプ（紫外線光源）５３ａを有しており、ＵＶランプ（紫外線光源）５３ａから照射される紫外線を貯留タンク（貯留部）４０内の浄水に照射できるようにしている。
【００８５】
こうすれば、ＵＶランプ（紫外線光源）５３ａを点灯させて、殺菌槽（紫外線照射部）５３内の水を殺菌処理する際に、貯留タンク（貯留部）４０内の浄水も、紫外線によって殺菌処理することができるようになる。
【００８６】
その結果、より効率的に水を殺菌することが可能となって、より衛生的に水を吐水（供給）することができるようになる。
【００８７】
このように、本実施形態によれば、より衛生的に水を吐水（供給）することのできる電解水生成装置１０を得ることができる。
【００８８】
特に、貯留タンク（貯留部）４０は、容積が比較的大きく、雑菌が多く繁殖しやすいものであるため、貯留タンク（貯留部）４０内の浄水に殺菌処理を施さない場合には、貯留タンク（貯留部）４０内の浄水に多くの雑菌が繁殖した際に、これらの雑菌を殺菌槽（紫外線照射部）５３内で殺菌する必要がある。このように、比較的容積が小さい殺菌槽（紫外線照射部）５３内で雑菌を殺菌するだけでは、繁殖した雑菌を殺菌処理しきれず、雑菌混じりの水が吐水されてしまうおそれがある。また、雑菌が多く繁殖した水を殺菌槽（紫外線照射部）５３内で十分に殺菌するためには、より長い時間紫外線を照射させる必要があり、殺菌効率が低下してしまうという問題がある。
【００８９】
しかしながら、本実施形態のように、貯留タンク（貯留部）４０内の浄水にも殺菌処理を施すことができるようにすれば、殺菌効率が低下してしまうのを抑制しつつ、殺菌槽（紫外線照射部）５３内で殺菌しきれなかった水を吐水してしまうことを抑制することができ、より衛生的な水をより効率的に吐水（供給）することができるようになる。
【００９０】
また、吐水前に殺菌処理を行う際に照射される紫外線を利用して、貯留タンク（貯留部）４０内の浄水に殺菌処理を施すようにしているため、貯留タンク（貯留部）４０内の浄水殺菌用の構成を新たに追加する必要がなくなる。その結果、構成の簡素化を図りつつコストの削減を図ることが可能となる。
【００９１】
また、本実施形態では、殺菌槽（紫外線照射部）５３内に導入された水が止水された場合にも、ＵＶランプ（紫外線光源）５３ａから照射される紫外線を貯留タンク（貯留部）４０内の浄水に照射できるようにしている。
【００９２】
ところで、ＵＶランプ（紫外線光源）５３ａは、光量測定のために止水後の一定期間（１０分以上）連続して点灯している必要がある。そのため、貯留タンク（貯留部）４０内の浄水に殺菌処理を施さない場合には、止水後の一定期間（１０分以上）に照射される紫外線を有効利用することができなかった。
【００９３】
しかしながら、本実施形態のように、貯留タンク（貯留部）４０内の浄水にも殺菌処理を施すことができるようにすれば、このときに照射される紫外線を有効利用することができるようになる。
【００９４】
なお、止水後、一定期間（１０分以上）が経過した後にＵＶランプ（紫外線光源）５３ａを消灯させるのではなく、電源オン状態で、貯留タンク（貯留部）４０がハウジング（本体）２０に装着されている場合には、ＵＶランプ（紫外線光源）５３ａを常時点灯させるようにすることも可能である。この場合には、止水後も常に貯留タンク（貯留部）４０内の殺菌処理を施すことができるようになる。
【００９５】
また、止水後、一定期間（１０分以上）が経過した後にＵＶランプ（紫外線光源）５３ａを消灯させる動作と、電源オン状態で、貯留タンク（貯留部）４０がハウジング（本体）２０に装着されている場合には、ＵＶランプ（紫外線光源）５３ａを常時点灯させる動作のいずれかを選択できるようにすることも可能である。
【００９６】
以上、本発明の好適な実施形態について説明したが、本発明は上記実施形態には限定されず、種々の変形が可能である。
【００９７】
例えば、上記実施形態では、制御装置が、給水装置および吐水装置のうち少なくとも一方の装置が動作中に、他方の装置の構成要素のうち少なくとも１つ以上の構成要素が非動作となるように他方の装置を制御するようにした電解水生成装置を例示している。しかしながら、給水装置および吐水装置を同時に動作させることのできる電解水生成装置に本発明を適用することも可能である。
【００９８】
また、電解槽や浄水部、その他細部のスペック（形状、大きさ、レイアウト等）を適宜に変更することが可能である。
【符号の説明】
【００９９】
１０  電解水生成装置
３３  浄水部
４０  貯留タンク（貯留部）
５２  電解槽
５３  殺菌槽（紫外線照射部）
５３ａ  ＵＶランプ（紫外線光源）
【図１】
2016215135.tif 000003
【図２】
2016215135.tif 000004
【図３】
2016215135.tif 000005
【図４】
2016215135.tif 000006
【図５】
2016215135.tif 000007
【図６】
2016215135.tif 000008
【図７】
2016215135.tif 000009
【図８】
2016215135.tif 000010